(57)【要約】【課題】ユーザが意識することなく、自動的に接続先のデバイスが備える機能のうち、所望の機能を用いて接続することができる情報処理装置および無線接続方法を提供する。【解決手段】Ｂｌｕｅｔｏｏｔｈ（登録商標）接続機能部１９を介して通信を行う通信先のデバイスのＩＤおよびデバイスに対するプロファイルをＨＤＤ２５に登録し、登録されているＩＤに対応するデバイスからの接続要求を受信した場合、接続要求が対応するプロファイルと一致していない場合は、接続要求を拒否し、デバイスに対して当該デバイスに対応するプロファイルに基づいた接続要求を送信する。【選択図】      図２
2008092186.tif 000002
【特許請求の範囲】
【請求項１】
近距離無線通信手段と、
前記近距離無線通信手段を介して通信を行う通信先のデバイスの識別情報および前記デバイスに対する接続形態情報を登録し、記憶する記憶手段と、
前記記憶手段に記憶されている識別情報に対応するデバイスからの接続要求を受信した場合、前記デバイスに対応する接続形態情報を前記記憶手段から読み出し、前記接続要求が読み出された前記接続形態情報と一致しているか否かを判別する判別手段と、
前記判別手段によって、前記接続要求が読み出された前記接続形態情報と一致していないと判別された場合は、前記接続要求を拒否し、前記デバイスに対して当該デバイスに対応する接続形態情報に基づいた接続要求を送信する送信手段と、
を具備することを特徴とする情報処理装置。
【請求項２】
請求項１に記載の情報処理装置において、
前記デバイスは、ハンズフリー機能およびヘッドセット機能を備えており、前記接続形態情報は、ハンズフリー機能を用いた接続情報およびヘッドセット機能を用いた接続情報であることを特徴とする情報処理装置。
【請求項３】
請求項２に記載の情報処理装置において、
前記識別情報に対応するデバイスからの接続要求を受信したとき、前記接続要求がヘッドセット機能を用いた接続要求である場合は、前記接続要求を拒否し、ハンズフリー機能を用いた接続要求を前記デバイスに送信することを特徴とする情報処理装置。
【請求項４】
請求項２に記載の情報処理装置において、
前記デバイスは、ハンズフリー機能およびヘッドセット機能に加え、オーディオ機能を備えており、前記接続形態情報は、少なくともハンズフリー機能を用いた接続情報、ヘッドセット機能を用いた接続情報、およびオーディオ機能を用いた接続情報のいずれか１つ以上であることを特徴とする情報処理装置。
【請求項５】
近距離無線通信手段を備えた無線接続方法を用いた無線接続方法であって、
前記近距離無線通信手段を介して通信を行う通信先のデバイスの識別情報および前記デバイスに対する接続形態情報を登録し、記憶手段に記憶する記憶ステップと、
前記記憶手段に記憶されている識別情報に対応するデバイスからの接続要求を受信した場合、前記デバイスに対応する接続形態情報を前記記憶手段から読み出し、前記接続要求が読み出された前記接続形態情報と一致しているか否かを判別する判別ステップと、
前記判別ステップによって、前記接続要求が読み出された前記接続形態情報と一致していないと判別された場合は、前記接続要求を拒否し、前記デバイスに対して当該デバイスに対応する接続形態情報に基づいた接続要求を送信する送信ステップと、
を有することを特徴とする無線接続方法。
【請求項６】
請求項５に記載の無線接続方法において、
前記デバイスは、ハンズフリー機能およびヘッドセット機能を備えており、前記接続形態情報は、ハンズフリー機能を用いた接続情報およびヘッドセット機能を用いた接続情報であることを特徴とする無線接続方法。
【請求項７】
請求項６に記載の無線接続方法において、
前記識別情報に対応するデバイスからの接続要求を受信したとき、前記接続要求がヘッドセット機能を用いた接続要求である場合は、前記接続要求を拒否し、ハンズフリー機能を用いた接続要求を前記デバイスに送信することを特徴とする無線接続方法。
【請求項８】
請求項６に記載の無線接続方法において、
前記デバイスは、ハンズフリー機能およびヘッドセット機能に加え、オーディオ機能を備えており、前記接続形態情報は、少なくともハンズフリー機能を用いた接続情報、ヘッドセット機能を用いた接続情報、およびオーディオ機能を用いた接続情報のいずれか１つ以上であることを特徴とする無線接続方法。
【発明の詳細な説明】
【技術分野】
【０００１】
本発明は、近距離無線通信技術に係り、特に接続先のデバイスと所望の接続形態で容易に接続をすることができる情報処理装置および無線接続方法に関する。
【背景技術】
【０００２】
一般的に、近距離無線通信技術、特にＢｌｕｅｔｏｏｔｈ（登録商標）を用いて電話機と通信する技術としては、例えば特許文献１参照に開示されているように、接続先のデバイスのヘッドセット機能とハンズフリー機能とを切り替えるために、所定のボタンを押下して、手動で切り替える技術がある。
【特許文献１】特開２００４−２８２３３２号公報
【発明の開示】
【発明が解決しようとする課題】
【０００３】
しかし、上述した技術では、ユーザが手動にて切り替えを行う必要があり、煩雑である。また、ユーザが接続先のデバイスにヘッドセット機能とハンズフリー機能とが備わっていることを把握していなければならない。
【０００４】
本発明の目的は、ユーザが意識することなく、自動的に接続先のデバイスが備える機能のうち、所望の機能を用いて接続することができる情報処理装置および無線接続方法を提供することである。
【課題を解決するための手段】
【０００５】
上記目的を達成するために、本発明の一態様によれば、近距離無線通信手段と、前記近距離無線通信手段を介して通信を行う通信先のデバイスの識別情報および前記デバイスに対する接続形態情報を登録し、記憶する記憶手段と、前記記憶手段に記憶されている識別情報に対応するデバイスからの接続要求を受信した場合、前記デバイスに対応する接続形態情報を前記記憶手段から読み出し、前記接続要求が読み出された前記接続形態情報と一致しているか否かを判別する判別手段と、前記判別手段によって、前記接続要求が読み出された前記接続形態情報と一致していないと判別された場合は、前記接続要求を拒否し、前記デバイスに対して当該デバイスに対応する接続形態情報に基づいた接続要求を送信する送信手段と、を具備することを特徴とする情報処理装置が提供される。
【発明の効果】
【０００６】
本発明を用いることにより、ユーザが意識することなく、自動的に接続先のデバイスが備える機能のうち、所望の機能を用いて接続することができる。
【発明を実施するための最良の形態】
【０００７】
以下図面を参照して、本発明の実施形態について説明する。
【０００８】
図１には、本発明の一実施形態に係る情報処理装置の斜視図が示されている。この情報処理装置は、バッテリ駆動可能なノートブック型コンピュータ１０として実現されている。なお、本発明は、Ｂｌｕｅｔｏｏｔｈ（登録商標）等の近距離無線通信技術を用いて接続する場合に、自動的に接続先のデバイスが備える機能のうち、予め設定しておいた所望の機能を用いて接続するものである。
【０００９】
図１に示すように、コンピュータ１０は、本体１６と、ディスプレイ１１とから構成されている。ディスプレイ１１にはＬＣＤ（Liquid Crystal Display）からなる表示装置が組み込まれており、そのＬＣＤの表示画面１２はディスプレイ１１のほぼ中央に位置されている。
【００１０】
ディスプレイ１１は、コンピュータ１０に対して解放位置と閉塞位置との間を開閉自在に取り付けられている。コンピュータ１０の本体側は薄い箱形の筐体を有しており、その上面には、キーボード１３、パームレスト上にはタッチパッド１４、および左右２つのボタン１４ａ、１４ｂ、メール等の各種ショートカットボタン、電源ボタン、音量制御ボタン１８、スピーカ２９等が配置されている。また、本体１６の側面には、光学ドライブ１５等が設けられている。そして、パームレスト中には、近距離無線通信を行うＢｌｕｅｔｏｏｔｈ（登録商標）接続機能部１９が内蔵されている。なお、近距離無線通信として、本実施形態では、Ｂｌｕｅｔｏｏｔｈ（登録商標）を用いて説明しているが、無線ＬＡＮ等の他の無線を用いた接続方法を用いてもよい。
【００１１】
Ｂｌｕｅｔｏｏｔｈ（登録商標）接続機能部１９を介して接続を行う接続先デバイスには、例えば、ハンズフリーセット１００が挙げられる。ハンズフリーセット１００は、コンピュータ１０と同様に、図示しないＢｌｕｅｔｏｏｔｈ（登録商標）接続機能部を内蔵しており、通話開始・終話ボタン１０１、マイク１０２、スピーカ１０３、音量調整ボタン１０４等を備えている。
【００１２】
図２は、本発明の一実施形態に係る情報処理装置の要部構成を示すブロック図である。
【００１３】
コンピュータ１０は、ＣＰＵ（Central Processing Unit）２０、Root Complex２１、主メモリ２４、グラフィックスコントローラ（End Point）２３、Root Complex（チップセット）２１とグラフィックスコントローラ２３とを接続するPCI Express Link２２、ディスプレイ（ＬＣＤ）である表示装置１１、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、キーボード１３、タッチパッド１４、ＡＣ電源１７、Ｂｌｕｅｔｏｏｔｈ（登録商標）接続機能部１９などを備えている。
【００１４】
Root Complex２１、グラフィックスコントローラ２３等は、PCI EXPRESS規格に準拠したデバイス（デバイス）である。Root Complex２１とグラフィックスコントローラ２３との間の通信は、Root Complex２１とグラフィックスコントローラ２３との間に配設されたPCI Express Link２２を介して実行される。
【００１５】
ＣＰＵ２０は、本コンピュータ１０の動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳはハードウェアを制御するためのプログラムである。
【００１６】
Root Complex２１は、ＣＰＵ２０のローカルバスとグラフィックスコントローラ２３との間を接続するブリッジデバイスである。また、Root Complex２１は、PCI Express Link２２を介してグラフィックスコントローラ２３との通信を実行する機能も有している。
【００１７】
グラフィックスコントローラ２３は、本コンピュータのディスプレイモニタとして使用されるディスプレイである表示装置１１を制御する表示コントローラである。
【００１８】
ＥＣ／ＫＢＣ２７は、電力管理のためのエンベデッドコントローラと、キーボード１３、タッチパッド１４、ＡＣ電源１７等を制御するためのキーボードコントローラとが集積された１チップマイクロコンピュータである。このＥＣ／ＫＢＣ２７は、ユーザによる電源ボタンの操作に応じて、電源コントローラと共同して、本コンピュータ１０をパワーオン／パワーオフする機能等を有している。
【００１９】
Ｂｌｕｅｔｏｏｔｈ（登録商標）接続機能部１９は、各種のＢｌｕｅｔｏｏｔｈ（登録商標）対応機器、例えば、ハンズフリーセット１００等と接続するための近距離無線通信装置である。なお、Ｂｌｕｅｔｏｏｔｈ（登録商標）での接続は、予め接続を許可する機器の識別情報を登録しておくことが必要となる。
【００２０】
次に、以上のように構成された本発明の情報処理装置を適用した無線制御方法について、図３のフローチャートおよび図４の模式図を参照して説明する。
【００２１】
まず、予めコンピュータ１０とＢｌｕｅｔｏｏｔｈ（登録商標）を用いて接続を許可する接続先のデバイスを登録する。デバイス登録には、デバイスの識別情報であるＩＤおよびデバイスに対する接続形態情報であるプロファイル（ＨＦ：ハンズフリー、ＨＳ：ヘッドセット等）をデバイスと対応づけて登録し、ＨＤＤ（記憶手段）２５に記憶する。例えば、図５に示すように、ＨＦとＨＳの２つの機能を備えているデバイス（以下、デバイス（ＨＦ／ＨＳ）と称する）の場合は、それぞれの機能（プロファイル）についてＩＤが割り振られている。例えば、ＩＤ：００３Ｆは、プロファイル：ＨＦ、ＩＤ：００３Ｅは、プロファイル：ＨＳとなる。また、図６に示すように、ＨＦのみの機能を備えているデバイスについては、ＩＤ：００３Ｆは、プロファイル：ＨＦとなる。
【００２２】
また、デバイス（ＨＦ／ＨＳ）のように、ＨＦとＨＳの２つ以上の機能を備えているデバイスに接続する場合に、どちらのプロファイルで接続するかを設定する。ここでは、ＨＦとして接続するように設定する。なお、上述したプロファイルであるＨＳは、マイクとスピーカの機能を備えるものである。スピーカは、電話としての機能が果たせる程度の音質を備えている。ＨＦは、ＨＳの機能に加えて、終話・発信ボタンを備えるものである。さらに、ＨＳ、ＨＦ以外にも、A2DP（Advanced Audio Distribution Profile）シンク（以下Ａｕｄｉｏシンクと記述）などのプロファイルに応用する事もできる。ヘッドセットより、Ａｕｄｉｏシンクの方が音質が高いため、ユーザは音楽を聞きたいときなど、高音質な環境を望む時は、ヘッドセットから接続要求があったら、自動的にヘッドセットを切断し、Ａｕｄｉｏシンクと接続しなおすことができる。
【００２３】
以上のように接続を許可するデバイスの登録が終了後に、例えば、コンピュータ１０のＣＰＵ２０は、ＨＦとＨＳの両方の機能を備えるデバイスからの接続要求を待って待機する（ステップＳ１０１）。次に、デバイス（ＨＦ／ＨＳ）のように、ＨＦとＨＳの２つ以上の機能を備えているデバイスの電源が入れられると（ステップＳ１０２）、デバイス（ＨＦ／ＨＳ）は、自動的に接続要求を発信する（図４（１）参照）。この接続要求は、デバイス（ＨＦ／ＨＳ）側で設定されているプロファイル、例えば、ＨＳとして接続するという接続要求を発信する。コンピュータ１０のＣＰＵ２０は、Ｂｌｕｅｔｏｏｔｈ（登録商標）接続機能部１９を介して、この接続要求を受信し、ＨＳとしての接続要求である場合は（ステップＳ１０３のＹＥＳ）、ＨＳとしての接続要求を拒否する（ステップＳ１０４：図４（２）参照）。上述したように、デバイス（ＨＦ／ＨＳ）のように、ＨＦとＨＳの２つ以上の機能を備えているデバイスに接続する場合に、どちらのプロファイルで接続するかを設定しており、本実施形態ではＨＦとして接続するように設定されているため、接続要求を拒否する。
【００２４】
コンピュータ１０のＣＰＵ２０は、接続要求のあったデバイスに対して当該デバイスに対応する接続形態情報であるＨＦに基づいた接続要求を送信し（図４（３）参照）、接続要求のあったデバイスにＨＦで接続する（ステップＳ１０５）。Ｂｌｕｅｔｏｏｔｈ（登録商標）を用いたクラインと側のデバイスでは、拒否機能を持たないため、ホスト側のコンピュータ１０からの接続要求通り接続される。そして、デバイス（ＨＦ／ＨＳ）は、ＨＦとして接続され動作する（ステップＳ１０６：図４の（４）参照）。
【００２５】
なお、上述した処理は、ユーザの設定で有効・無効を切り替えることができる。
【００２６】
以上、本実施形態を用いることにより、例えば、携帯電話、パーソナルコンピュータなどの装置から電話を掛けたいときに、ヘッドセット／ハンズフリーデバイス毎に異なる仕様の両方を使用することができ、ユーザはデバイスの仕様がわからなくても、自動的に希望するプロファイルに接続しなおすことができる。これにより、ユーザの希望するヘッドセット／ハンズフリーデバイスを使用することができる。また、電話をかけたい時に、デバイスからヘッドセットとして接続された場合、ヘッドセットでは電話機能を持っていないので、ハンズフリーが持つ着呼、発信などの電話固有の操作ができない。このような場合でも、携帯電話、パソコンなどのホスト側の装置から、自動的にヘッドセットをいったん切断し、ハンズフリーとして接続しなおすことができ、ユーザは、自動的にハンズフリーとして接続された事になり、快適な動作環境を有することができる。このように、ユーザが意識することなく、自動的に接続先のデバイスが備える機能のうち、所望の機能を用いて接続することができる。すなわち、接続先のデバイスが送信してきた機能が所望の機能でない場合でも、自動的に接続を拒否し、所望の機能で接続を行うことができる。
【００２７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明の一実施形態に係る情報処理装置の外観を示した斜視図。
【図２】本発明の一実施形態に係る情報処理装置の要部構成を示すブロック図。
【図３】本発明の一実施形態に係る情報処理装置を適用した無線接続方法を示したフローチャート。
【図４】本発明の一実施形態に係る情報処理装置を適用した無線接続方法を示した模式図。
【図５】予めコンピュータとＢｌｕｅｔｏｏｔｈ（登録商標）を用いて接続を許可する接続先のデバイスを登録するためのテーブルを示した模式図。
【図６】予めコンピュータとＢｌｕｅｔｏｏｔｈ（登録商標）を用いて接続を許可する接続先のデバイスを登録するためのテーブルを示した模式図。
【符号の説明】
【００２９】
１０…コンピュータ、１１…ＬＣＤ、１２…表示画面、１３…キーボード、１４…タッチパッド、１４ａ．１４ｂ…ボタン、１５…光学ドライブ、１６…本体、１７…ＡＣ電源、１８…電源ボタン、１９…Ｂｌｕｅｔｏｏｔｈ（登録商標）接続機能部１９、２０…ＣＰＵ、２３…グラフィックスコントローラ、２４…主メモリ、２５…ＨＤＤ、２６…ＢＩＯＳ−ＲＯＭ、２７…ＥＣ／ＫＢＣ、２９…スピーカ、３０…表示装置
【図１】
2008092186.tif 000003
【図２】
2008092186.tif 000004
【図３】
2008092186.tif 000005
【図４】
2008092186.tif 000006
【図５】
2008092186.tif 000007
【図６】
2008092186.tif 000008